(57)【特許請求の範囲】
【請求項１】
少なくともディジタルオーディオデータと同期データとを含むディジタル情報を出力するディジタルインターフェースレシーバと、前記ディジタル情報に同期した基準クロック信号を生成して出力するＰＬＬと、前記ディジタル情報中にディジタルオーディオデータが含まれているか否かを判別するオーディオデータ有無判別手段とを有して、前記ディジタル情報の内のディジタルオーディオデータから生成した第１のオーディオ信号又は前記ディジタルインターフェースレシーバを通らないアナログオーデイオ信号から生成した第２のオーディオ信号を出力するオーディオ装置において、
前記ＰＬＬが位相同期状態にあり、かつ前記オーディオデータ有無判別手段でディジタルオーディオデータ有りと判別された場合には、前記第１のオーディオ信号を出力し、それ以外の場合には、前記第２のオーディオ信号を出力することを特徴とするオーディオ装置。
【請求項２】
前記ＰＬＬが位相同期状態であるか否かの情報と、前記オーディオデータ有無判別手段の出力とに応じて、前記第１のオーディオ信号又は第２のオーディオ信号を選択して出力するセレクタを有することを特徴とする請求項１記載のオーディオ装置。
【請求項３】
前記ディジタルオーディオデータは符号化されたオーディオデータであり、前記オーディオデータ有無判別手段は復号前のディジタルオーディオデータを用いて判別することを特徴とする請求項１又は請求項２記載のオーディオ装置。
【請求項４】
前記ディジタルオーディオデータは符号化されたオーディオデータであり、前記オーディオデータ有無判別手段は復号後のディジタルオーディオデータを用いて判別することを特徴とする請求項１又は請求項２記載のオーディオ装置。
【発明の詳細な説明】
【０００１】
【発明の属する技術分野】
本発明は、ディジタルインターフェイスレシーバを有するオーディオ装置に関し、特にオーデイオ情報源としてのディジタル情報があるか否かに応じて、出力するオーディオ信号を切り替えるようにしたオーディオ装置に関する。
【０００２】
【従来の技術】
ディジタルオーディオデータを伝送する場合には、ディジタルオーディオインターフェイス（以下、ＤＡＩとも記す）のフォーマットが採用される。このフォーマットで伝送されるオーディオデータはディジタルインターフェイストランスミッタ（以下、ＤＩＴとも記す）を介して送信され、ディジタルインターフェイスレシーバ（以下、ＤＩＲとも記す）を介して受信される。
以下、従来のオーディオ装置について図３と共に説明する。図３は従来のオーデイオ装置の一例を示すブロック図である。図３に示すオーディオ装置３０において、ＤＩＲ１１で受信されたディジタル情報から、オーディオデータ抽出手段１３でディジタルオーディオデータが分離抽出され、同期データ抽出手段２７で同期用のディジタルデータが抽出される。前記オーディオデータ抽出手段１３と同期データ抽出手段２７とＰＬＬ２９はＤＩＲ１１に含まれる場合もある。
【０００３】
端子ａと端子ｂには、同一内容のディジタルオーディオデータとアナログオーディオ信号とがそれぞれ供給されるか、あるいは、端子ａにはディジタルオーディオデータが供給されず、端子ｂにアナログオーディオ信号が供給されているだけであるものとする。
オーディオデータ抽出手段１３から出力されたディジタルオーディオデータはデジタルデータセレクタ１５の端子ｃに印加される。一方、アナログオーディオ信号はアナログ／ディジタル変換器（以下、単にＡ／Ｄとも記す）２５を介してデジタルデータセレクタ１５の端子ｄに印加される。
デジタルデータセレクタ１５は端子ｃのデータと端子ｄのデータとから一方のデータを選択してディジタル信号処理装置（以下、単にＤＳＰとも記す）１７に出力する。
ＤＳＰ１７は、入力されたディジタルオーディオデータが符号化（圧縮）されたデータであればそれを復号し、さらに２次元オーディオデータを４次元オーディオデータに変換してサラウンド処理を行うプロロジック処理を行い、ディジタル／アナログ変換器（以下、単位Ｄ／Ａとも記す）１９に出力する。また、入力されたディジタルオーディオデータが符号化（圧縮）されていないデータであれば、それをそのまま出力するか、或いは前記プロロジック処理をしてＤ／Ａ１９に出力する。
【０００４】
Ｄ／Ａ１９の出力はアナログ信号セレクタ２１の端子ｆに与えられる。アナログ信号セレクタ２１は、端子ｂに入力されたアナログオーディオ信号と端子ｆに入力されたオーディオ信号とから一方を選択して増幅器２３へ出力する。増幅器２３は入力されたオーディオ信号を増幅して次段装置へ出力する。
ＭＰＵ３３はオーディオ装置３０全体を制御するマイクロプロセッサであり、ＲＯＭとＲＡＭを有する。ＭＰＵ３３と各要素との結線は一部図示が省略されている。
【０００５】
ＰＬＬ２９は同期データ抽出手段２７の出力に位相同期したクロック信号を生成するための位相同期回路、即ちＰＬＬ（Ｐｈａｓｅ    Ｌｏｃｋｅｄ    Ｌｏｏｐ）であり、その出力が位相ロック状態であるか否かの情報がＭＰＵ３３に与えられると共に、ＰＬＬ２９の発信出力は基準クロックとして、ＤＳＰ１７やその他の要素にも供給されるが、図示は省略されている。入力手段３５はＭＰＵ３３にデータを入力するためのものであり、例えばキーボードやリモコンで構成される。
【０００６】
ＰＬＬ２９が位相ロック状態にあれば、オーディオデータ抽出手段１３からディジタルオーディオデータが出力されているものと見なされ、デジタルデータセレクタ１５は端子ｃのデータをＤＳＰ１７へ出力し、アナログ信号セレクタ２１は端子ｆの信号を増幅器２３へ出力する。これらの制御はＭＰＵ３３からデジタルデータセレクタ１５の端子ｅと、アナログ信号セレクタ２１の端子ｈにそれぞれ供給される制御信号に基づいて行われる。
【０００７】
ＰＬＬ２９が位相ロック状態にない場合は、オーディオデータ抽出手段１３からディジタルオーディオデータが出力されていないものと見なし、デジタルデータセレクタ１５は端子ｄのデータをＤＳＰ１７へ出力する。かかる場合に、アナログ信号セレクタ２１が端子ｆの信号と端子ｇの信号のうちのいずれを出力するかは予めユーザにより指定され、ＭＰＵ３３のＲＡＭに記憶される。通常、サラウンド処理などのプロロジック処理を必要とする場合は、端子ｆの信号が選択され、プロロジック処理が不要の場合は端子ｇの信号が選択される。
【０００８】
【発明が解決しようとする課題】
前記したように、従来のオーディオ装置では、ＰＬＬ２９のロック／アンロックを示す情報に基づいて、デジタルデータセレクタ１５とアナログ信号セレクタ２１とが制御されていたが、オーディオデータ抽出手段１３の出力に、実際にはディジタルオーディオデータが含まれていないのに、ＰＬＬ２９が位相ロック状態を示すことがあり、この場合増幅器２３からは音響出力がなく、無音状態になると言う問題があった。
【０００９】
これらの具体例としては、記録媒体から読み出されたディジタルデータに、元々ＰＣＭオーディオデータがない場合や、記録媒体から読み出されたディジタルデータにはＰＣＭオーディオデータが含まれているが、出力されるのはアナログオーディオ信号だけしかない場合などがある。これらの場合にも、ＤＩＲ１１から同期データが出力されるために、ＰＬＬ２９は位相ロック状態を示すことになるのである。
前記した如くの無音状態になったときに、ユーザは入力手段３５を介してＭＰＵ３３に指示を送り、アナログ信号セレクタ２１で端子ｇの信号を選択させて、端子ｂに入力されたアナログオーディオ信号を増幅器２３から出力させるようにしなければならなかった。
【００１０】
本発明は前記課題に鑑みてなされたものあり、ディジタルオーディオデータが無い場合にも無音状態にならないオーディオ装置を提供することを目的とする。
【００１１】
【課題を解決するための手段】
本発明は前記課題を解決するために次のような構成としたオーディオ装置である。
第１の発明のオーディオ装置は、少なくともディジタルオーディオデータと同期データとを含むディジタル情報を出力するディジタルインターフェースレシーバと、前記ディジタル情報に同期した基準クロック信号を生成して出力するＰＬＬと、前記ディジタル情報中にディジタルオーディオデータが含まれているか否かを判別するオーディオデータ有無判別手段とを有して、前記ディジタル情報の内のディジタルオーディオデータから生成した第１のオーディオ信号又は前記ディジタルインターフェースレシーバを通らないアナログオーデイオ信号から生成した第２のオーディオ信号を出力するオーディオ装置において、
前記ＰＬＬが位相同期状態にあり、かつ前記オーディオデータ有無判別手段でディジタルオーディオデータ有りと判別された場合には、前記第１のオーディオ信号を出力し、それ以外の場合には、前記第２のオーディオ信号を出力するようにしたオーディオ装置である。
【００１２】
本発明によれば、ＰＬＬが位相ロック状態にあり、かつ前記オーディオデータ有無判別手段でディジタルオーディオデータ有りと判別された場合を除き、ディジタルインターフェイスレシーバから同期データが出力されディジタルオーディオデータが出力されていない場合にも、ＤＩＲを通らないアナログオーディオ信号から生成したオーディオ信号を出力し、無音状態になるのを防止できる。
【００１３】
第２の発明は、第１の発明のオーディオ装置において、前記ＰＬＬが位相同期状態であるか否かの情報と、前記オーディオデータ有無判別手段の出力とに応じて、前記第１のオーディオ信号又は第２のオーディオ信号を選択して出力するセレクタを有するようにしたオーディオ装置である。
【００１４】
本発明のオーディオ装置においては、前記セレクタは１又は複数のセレクタで構成される。また、前記セレクタは、前記ＰＬＬが位相ロック状態であるか否かの情報と、前記オーディオデータ有無判別手段の出力との両方の情報に応じて制御されるが、複数のセレクタで構成される場合には、各セレクタにそれぞれの制御信号が供給される。。
【００１５】
第３の発明は、第１の発明又は第２の発明のオーディオ装置において、前記ディジタルオーディオデータは符号化されたオーディオデータであり、前記オーディオデータ有無判別手段は復号前のディジタルオーディオデータを用いて判別するようにしたオーディオ装置である。
【００１６】
本発明によれば、オーディオデータ有無判別手段において、復号されていないディジタルオーディオデータを用いてディジタルオーディオデータの有無を判別するから、オーディオデータの復号に要する時間に相当する遅延時間なしに高速に前記判別処理を行うことが出来る。
【００１７】
第４の発明は、第１の発明又は第２の発明のオーディオ装置において、前記ディジタルオーディオデータは符号化されたオーディオデータであり、前記オーディオデータ有無判別手段は復号後のディジタルオーディオデータを用いて判別するようにしたオーディオ装置である。
【００１８】
本発明によれば、オーディオデータ有無判別手段において、復号済みのディジタルオーディオデータを用いてディジタルオーディオデータの有無を判別するから、ディジタルオーディオデータに重畳されているオーディオデータ以外のデータの影響を受けずに、正確にディジタルオーディオデータの有無を判別できるという効果を奏する。
【００１９】
【発明の実施の形態】
本発明のオーディオ装置は、ディジタルインターフェースレシーバ（ＤＩＲ）から出力される同期データ（ＤＩＲクロック）をＰＬＬに供給し、かつ前記ＤＩＲから出力されるＤＩＲデータにディジタルオーディオデータが含まれているかを判別するオーディオデータ有無判別手段を備えて、前記ＰＬＬが位相ロック状態にあり、かつ前記オーディオデータ有無判別手段でディジタルオーディオデータ有りと判別された場合には、前記ディジタルオーディオデータから生成したアナログオーディオ信号を自動的に選択して出力し、それ以外の場合には、前記ＤＩＲを通らないアナログオーディオ信号から生成したオーディオ信号を自動的に選択して出力する。
【００２０】
以下本発明オーディオ装置の第１実施例について、図１を用いて説明する。図１は本発明オーデイオ装置の第１実施例を示すブロック図である。図１と図３とで機能と作用が同一の要素には同一の符号を付し、その説明を省略する。
図１に示すオーディオ装置１０と、図３に示すオーディオ装置３０との相違点は、図１のオーディオ装置１０では、オーディオデータ有無判別手段３１が設けられている点であり、デジタルデータセレクタ１５とアナログ信号セレクタ２１とがＰＬＬ２９のロック／アンロックを示す情報とオーディオデータ有無判別手段３１の出力とによって制御される点である。これらの制御は、ＭＰＵ３３から制御信号をデジタルデータセレクタ１５の制御端子ｅとアナログ信号セレクタ２１の制御端子ｈとにそれぞれ印加することにより行われる。
【００２１】
図１において、ＤＩＲ１１で受信されたディジタル情報から、オーディオデータ抽出手段１３でディジタルオーディオデータが分離抽出され、同期データ抽出手段２７で同期用のデータが抽出される。前記オーディオデータ抽出手段１３と同期データ抽出手段２７はＤＩＲ１１に含まれている場合もある。
【００２２】
オーディオデータ抽出手段１３の出力はデジタルデータセレクタ１５の端子ｃと、オーディオデータ有無判別手段３１とに供給される。オーディオデータ有無判別手段３１は、供給されたデータ中にディジタルオーディオデータが含まれているか否かを、所定時間観測して判別する。この判別処理は、実際にはＭＰＵ３３によって行われ、ディジタルデータの有無が観測される。ここに、無音状態のように音声レベルが極めて低い場合であっても、ＤＩＲ１１からＤＩＲデータが出力されている場合には、必ずオーディオデータ抽出手段１３からディジタルデータが出力され、一方ＤＩＲ１１からＤＩＲデータが出力されていない場合には、オーディオデータ抽出手段１３から全ビットが０のデータが出力されるから、オーディオデータ有無判別手段３１での判別処理は容易、かつ迅速に行われる。
【００２３】
ＰＬＬ２９が位相ロック状態にあり、かつオーディオデータ有無判別手段３１で、オーディオデータ抽出手段１３の出力にディジタルオーディオデータが有り、と判別された場合には、ＤＩＲ１１やオーディオデータ抽出手段１３からディジタルオーディオデータが出力されているものと見なし、デジタルデータセレクタ１５は端子ｃのデータを選択してＤＳＰ１７へ出力し、アナログ信号セレクタ２１は端子ｆの信号を選択して増幅器２３へ出力する。これらの制御はＭＰＵ３３からデジタルデータセレクタ１５の端子ｅと、アナログ信号セレクタ２１の端子ｈに供給される制御信号に基づいて行われる。
【００２４】
ＰＬＬ２９が位相ロック状態にない場合、又は、オーディオデータ有無判別手段３１で、オーディオデータ抽出手段１３の出力にディジタルオーディオデータが無い、と判別された場合には、ＤＩＲ１１やオーディオデータ抽出手段１３からディジタルオーディオデータが出力されていないものと見なし、デジタルデータセレクタ１５は端子ｄのデータを選択してＤＳＰ１７へ出力する。
かかる場合に、アナログ信号セレクタ２１が端子ｆの信号と端子ｇの信号のうちのいずれを選択して出力するかは予めユーザにより指定され、この情報がＭＰＵ３３のＲＡＭに格納される。そして、アナログ信号セレクタ２１では前記ＲＡＭに格納されたユーザの指定に基づいて、端子ｆ又は端子ｇの信号が選択され、出力される。
【００２５】
ＤＳＰ１７では要求に応じてサラウンド処理が行われるから、Ａ／Ｄ２５の出力に対してプロロジック処理などのサラウンド処理を必要とする場合は、端子ｆの信号が選択され、サラウンド処理が不要の場合は端子ｇの信号が選択される。なお、オーディオデータ有無判別手段３１に入力されるデータは復号前のデータであるから、ディジタルオーディオデータが符号化されたデータである場合に、復号に要する時間分の遅延時間を要せずに、速やかに判別処理を行うことが出来る。
【００２６】
以下、本発明オーディオ装置の第２実施例について、図２を用いて説明する。図２は本発明オーデイオ装置の第２実施例を示すブロック図である。図２と図１とで機能と作用が同一の要素には同一の符号を付し、その説明を省略する。
図１に示すオーディオ装置１０と、図２に示すオーディオ装置２０との相違点は、図２のオーディオ装置２０では、ＤＳＰ１７の出力がオーディオデータ有無判別手段３１に入力されている点であり、オーディオデータ有無判別手段３１では符号化（圧縮）されたディジタルオーディオデータではなく、元々符号化されていないディジタルオーディオデータか、或いはすでに復号されたディジタルオーディオデータを用いて、ディジタルオーディオデータの有無が識別される。
【００２７】
オーディオデータ抽出手段１３から出力されるディジタルオーディオデータが符号化されたデータである場合には、その符号化データがＤＳＰ１７で復号されるが、そのときにディジタルオーディオデータに重畳されていたオーディオデータ以外のデータはＤＳＰ１７から出力されなくなる。これにより、オーディオ装置１０に比して、オーディオデータ有無判別手段３１がディジタルオーディオデータの有無を判別する際に、前記復号に要する時間だけ判別に余分の時間を要するが、オーディオデータ以外のデータにより前記判別処理が影響を受けることが無くなる。これは、オーディオデータ抽出手段１３において、ディジタルオーディオデータだけを完全に抽出し切れない場合に特に効果的である。
【００２８】
以上詳述した如く、本発明オーディオ装置によれば、ディジタルインターフェイスレシーバを備えたオーディオ装置であっても、ＤＩＲからディジタルオーディオデータが送出されていない場合には、かかる状態を正確に検出して、オーディオ出力を前記ＤＩＲを通らないアナログ信号から生成したオーディオ信号に切り替えて出力することが出来、スピーカらの出力が無音状態になるのを防止することができる。
【図面の簡単な説明】
【図１】本発明オーデイオ装置の第１実施例を示すブロック図である。
【図２】本発明オーデイオ装置の第２実施例を示すブロック図である。
【図３】従来のオーデイオ装置の一例を示すブロック図である。
【符号の説明】
１１    ディジタルオーディオレシーバ（ＤＩＲ）
１３    オーディオデータ抽出手段
１５    ディジタルデータセレクタ
１７    ディジタル信号処理装置（ＤＳＰ）
１９    ディジタル／アナログ変換器（Ｄ／Ａ）
２１    アナログ信号セレクタ
２３    増幅器
２５    アナログ／ディジタル変換器（Ａ／Ｄ）
２７    同期データ抽出手段
２９    位相同期回路（ＰＬＬ）
３１    オーディオデータ有無判別手段
３３    マイクロプロセッサユニット（ＭＰＵ）
【図１】
0003601023.tif 000002
【図２】
0003601023.tif 000003
【図３】
0003601023.tif 000004